(57)【要約】【課題】パズル板を完成状態にしてしかも視認可能な状態にして包装した、趣向性が高く贈答品としても好適で、さらに、展示のためのフレームを別途用意する必要をなくした透明ケース入りジグソーパズルの提供。【解決手段】所要の絵柄や写真を印刷した基板を複数個のピース３……を形成するよう不規則な形状に型抜きしたパズル板ａを、外方から上記絵柄や写真を視認できるよう透明ケースｂ内に収納してなる透明ケース入りジグソーパズル。【選択図】  図１
0003125494.tif 000002
【実用新案登録請求の範囲】
【請求項１】
所要の絵柄や写真を印刷した基板を複数個のピースを形成するよう不規則な形状に型抜きしたパズル板を、外方から上記絵柄や写真を視認できるよう透明ケース内に収納してなることを特徴とする透明ケース入りジグソーパズル。
【請求項２】
上記パズル板の各ピースが、幅細の連結部により連結された状態になっていることを特徴とする請求項１記載の透明ケース入りジグソーパズル。
【請求項３】
上記パズル板が、中心孔を有するＣＤと同サイズの円盤形をなし、上記透明ケースが、上記中心孔に嵌合する固定爪を有する収納部と、ジャケットシート収納部を有する蓋部からなることを特徴とする請求項１または２記載の透明ケース入りジグソーパズル。
【考案の詳細な説明】
【技術分野】
【０００１】
本考案は、透明ケース入りジグソーパズルに関する。
【背景技術】
【０００２】
ジグソーパズルのパズル板は、所要の絵柄や写真を印刷した印刷板を不規則な形状に型抜き分離した複数個のピースを組み合わせて構成されているものである。
【０００３】
ジグソーパズルは、その販売時には、パズル板を構成する上記複数個のピースを全て分離した状態にして袋詰めしたものをさらに包装箱で包装しており（非特許文献１，２）、遊戯する者は、開封後、その包装箱に印刷された完成状態の見本を参考にして、上記各ピースを適宜組み立てることによって元の絵柄や写真が現れたパズル板を復元する。
そして、完成したパズル板は、別途購入したフレームに収めて展示できるようになっている。
【非特許文献１】株式会社テンヨー、”パズルの中身って、どうなってるの？”、[online]、[平成１８年７月６日検索]、インターネット＜ＵＲＬ： http://www.tenyo.co.jp/jigsaw/howto/02.html＞
【非特許文献２】ジグソーパズル専門店  ドリームベア、”ジグソーパズルの組立て方”、[online]、[平成１８年７月６日検索]、インターネット＜ＵＲＬ： http://www.dream-bear.com/kumitatekata.html＞
【考案の開示】
【考案が解決しようとする課題】
【０００４】
上記の通り、販売時にはパズル板を構成する各ピースがバラバラに分離されており、パズル板を、絵柄や写真を復元した完成状態にして販売するようなことはない。
また、完成したパズル板を収めて展示するためのフレームは別途購入しなければならない。
【０００５】
そこで、本考案は、パズル板を完成状態にしてしかも視認可能な状態にして包装した、趣向性が高く贈答品としても好適で、さらに、展示のためのフレームを別途用意する必要をなくした透明ケース入りジグソーパズルの提供を課題とする。
【課題を解決するための手段】
【０００６】
請求項１記載の本考案は、所要の絵柄や写真を印刷した基板を複数個のピース３……を形成するよう不規則な形状に型抜きしたパズル板ａを、外方から上記絵柄や写真を視認できるよう透明ケースｂ内に収納してなる透明ケース入りジグソーパズルである。
【０００７】
請求項２記載の本考案は、上記パズル板ａの各ピース３……が、幅細の連結部３’……により連結された状態になっていることを特徴とする請求項１記載の透明ケース入りジグソーパズル。
【０００８】
請求項３記載の本考案は、上記パズル板ａが、中心孔１を有するＣＤと同サイズの円盤形をなし、上記透明ケースｂが、上記中心孔１に嵌合する固定爪５……を有する収納部ｂ１と、ジャケットシート収納部１２を有する蓋部ｂ２からなる請求項１または２記載の透明ケース入りジグソーパズルである。
【考案の効果】
【０００９】
本考案透明ケース入りジグソーパズルは、パズル板を完成状態にしてしかも視認可能な状態にして包装してあるので趣向性が高く贈答品としても好適である。さらに、展示のためのフレームを別途用意する必要がない。
【考案を実施するための最良の形態】
【００１０】
以下、本考案を一実施例により説明するが、本考案はこれに限られるものではない。
【実施例】
【００１１】
本実施例の透明ケース入りジグソーパズルは、パズル板ａを透明ケースｂに収納してなる。
【００１２】
上記パズル板ａは、中心に直径１．５ｃｍの中心孔１を開設した直径約１２ｃｍの円盤形をなす、ＣＤ（Compact Disk）やＤＶＤ（Digital Versatile Disk）と同じサイズのものである。
これは、厚紙又は合成樹脂等の基板の表面にシルク印刷，グラビア印刷，オフセット印刷，転写印刷等により任意の絵柄２を印刷し、これを４８個のピース３を形成するよう不規則な形状に型抜きして形成される。
上記の型抜きは、互いに隣接する各ピース３……同士の間に互いを連結する幅細の連結部３’……を残して行う。したがって、全てのピース３……は、その連結部３’……により連結された状態になっており自然に分離することはないが、これを引きちぎって容易に分離できるようになっている。
【００１３】
なお、上記絵柄２の代わりに写真を印刷してもよく、またピース３……の個数は適宜増減することができる。
【００１４】
上記透明ケースｂは、ＣＤ用またはＤＶＤ用の硬質合成樹脂製の従来公知のもので、収納部ｂ１と、蓋部ｂ２とからなる。
【００１５】
上記収納部ｂ１は、その底板４の内面の中央に、上記パズル板ａの中心孔１に係合して該パズル板ａを固定する係合爪５……を立設している。また、６，６は、底板４の上下両縁の起立壁７，７の一側にそれぞれ設けた軸である。
【００１６】
上記蓋部ｂ２は、その蓋板８の上下両縁の起立壁９，９の一側にそれぞれ上記収納部ｂ１の軸６，６を受入する軸孔１０，１０を開設してあり、ここに上記軸６，６を受入することで、上記収納部ｂ１に対して開閉自在に軸着されている。
上記起立壁９，９の内方には、弧状のジャケットシート押さえ片１１……を、上記蓋板８との間に間隔を空けて突出形成してあり、そのジャケットシート押さえ片１１と蓋板８との間を、後記のジャケットシートｃを収納するジャケットシート収納部１２としている。
また、起立壁９，９の内方の、上記軸６，６を形成した側には、細幅の裏板１３が連設され、その裏板１３と上記蓋板８との間は、ジャケットシートｃの折り返し片ｃ３を受入するポケット部１４となっている。
この透明ケースｂは、当然ながら、ＣＤやＤＶＤを収納するのに用いることもできる。
【００１７】
上記パズル板ａは、上記透明ケースｂに、その中心孔１を上記収納部ｂ１の係合爪５……を嵌合させて収納固定されている。その固定は、パズル板ａの表面を収納部ｂ１の底板４の側に向けて行う。
したがって、この透明ケースｂの収納部ｂ１の底板４の側（該透明ケース入りジグソーパズルの正面側）からは収容したパズル板ａを視認できるようになっている。
【００１８】
ｃは、上記蓋部ｂ２のジャケットシート収納部１２に収納されるジャケットシートである。
このジャケットシートｃは、上記蓋部ｂ２の蓋板８とほぼ同大の２枚の紙片ｃ１，ｃ２を連設するとともに、その紙片ｃ２にさらに折り返し片ｃ３を連設してなるもので、上記紙片ｃ１，ｃ２はその間で折り畳んで重合された状態で上記ジャケットシート収納部１２に収納され、上記折り返し片ｃ３は、コ字形に折り曲げられた状態で上記ポケット部１４に受入されている。
【００１９】
その紙片ｃ１，ｃ２および折り返し片ｃ３の外面には、適宜の絵柄や写真およびそのタイトル等が印刷されており、紙片ｃ１および折り返し片ｃ３の外面は上記透明ケースｂの外方から視認でき、また、紙片ｃ２の外面は透明ケースｂを開いたときに視認される。
【００２０】
紙片ｃ１の内面には、メッセージ欄１５が印刷されている。このメッセージ欄１５は、該透明ケース入りジグソーパズルを贈答品とする場合にメッセージを記入できる箇所である。
【００２１】
紙片ｃ２の内面には、パズル板ａの完成状態の絵柄（または写真）１６が印刷してある。遊戯者は、上記パズル板ａの各ピース３……を一旦バラした後、この絵柄１６を参照しながら各ピース３……を組み立て、もとの絵柄を完成させることができる。
【００２２】
ｄは、裏面に粘着層を有し、この粘着層によって上記パズル板ａの表面に貼着することができるようにした、該パズル板ａと同形同大の粘着性透明フィルムである。この粘着性透明フィルムｄは、その粘着層側に剥離紙１７，１７を貼着した状態で、透明ケースｂ内に封入されている。
なお、上記ジャケットシートｃの紙片ｃ２には、パズル板ａが組み上がったらこの粘着性透明フィルムｄの貼着すべき旨の指示１８を表示している。
【００２３】
以上説明した透明ケース入りジグソーパズルは、透明ケースｂ内に収納している、完成状態のパズル板ａを視認できるようになっているから、店頭に並んだ状態において、従来の箱詰めのジグソーパズルに比べ見映えが良く斬新である。
また、上記パズル板ａの各ピース３は連結部３’……により連結された状態になっているので自然に分離してしまうようなことがない。
【００２４】
開封後には、パズル板ａの各ピース３……を、上記連結部３’……を引きちぎって分離したあと、従来のジグソーパズルと同様に、ジャケットシートｃに印刷された完成状態の絵柄１６を参照しながら組み立てを行うことができる。
完成後は、各ピースが崩れないよう、上記粘着性透明フィルムｄを、その剥離し１７，１７を剥がして貼着する。
【００２５】
完成したパズル板ａは、これを再び上記透明ケースｂに入れて展示しておくことができる。
すなわち、上記透明ケースｂは、パズル板ａを展示するためのフレームとしても機能するものである。従来は、ジグソーパズルを展示するためのフレームは、別途購入する必要があったが、この透明ケース入りジグソーパズルは、上記透明ケースｂに収納された状態で販売されるので、別途フレームを購入する必要がない。
【図面の簡単な説明】
【００２６】
【図１】本考案の一実施例に係る透明ケース入りジグソーパズルの正面図。
【図２】図１のI-I線における縦断面図。
【図３】上記透明ケースを開いた状態の斜視図。
【図４】上記透明ケースからパズル板等を取り出した状態の斜視図。
【図５】上記パズル板の部分拡大平面図。
【図６】ジャケットシートを開いた状態の平面図。
【図７】粘着性透明フィルムの斜視図。
【図８】上記パズル板に上記粘着性透明フィルムを重合貼着する様子を示す斜視図。
【符号の説明】
【００２７】
ａ パズル板
ｂ 透明ケース
ｂ１  収納部
ｂ２ 蓋部
ｃ ジャケットシート
ｄ 粘着性透明フィルム
【図１】
0003125494.tif 000003
【図２】
0003125494.tif 000004
【図３】
0003125494.tif 000005
【図４】
0003125494.tif 000006
【図５】
0003125494.tif 000007
【図６】
0003125494.tif 000008
【図７】
0003125494.tif 000009
【図８】
0003125494.tif 000010